(57)【特許請求の範囲】
【請求項１】
異なる方向に向かう第１流通口６と第２流通口７を有した装置本体１と、薬剤保持体２と、送風ファン３と、この送風ファン３を回転するモータ４と、このモータ４を交互に正逆回転駆動し、かつ正回転駆動する時間と逆回転駆動する時間を、それぞれ任意に設定するモータ駆動制御手段５を備え、
前記モータ４を正回転駆動して送風ファン３が正回転すると第１流通口６から第２流通口７に向けて空気が流れて薬剤保持体２に空気が触れて薬剤を揮散し、その薬剤を第２流通口７から空気とともに放散し、
前記モータ４を逆回転駆動して送風ファン３が逆回転すると第２流通口７から第１流通口６に向けて空気が流れて薬剤保持体２に空気が触れて薬剤を揮散し、その薬剤を第１流通口６から空気とともに放散するようにし、
前記装置本体１に通路部材８を、第１流通口６と第２流通口７のどちらか一方と連通して設け、この通路部材８によって装置本体１と離隔した場所から空気を吸い込み、吐出できるようにしたことを特徴とする送風式薬剤放散装置。
【請求項２】
形状の異なる複数の通路部材８を準備し、いずれか１つの通路部材８を装置本体１に着脱自在に設けた請求項１記載の送風式薬剤放散装置。
【発明の詳細な説明】
【技術分野】
【０００１】
本発明は、害虫による被害場面における被害空間に薬剤を放散する送風式薬剤放散装置に関する。
【背景技術】
【０００２】
従来、装置本体に送風ファンと薬剤を設け、その送風ファンを回転することで薬剤に空気を触れさせて揮散し、その揮散した薬剤を空気とともに大気に放散するようにした送風式薬剤放散装置が種々提案されている。
例えば、特許文献１に開示したように、装置本体に２つの排気口を設け、送風ファンを駆動することで、各排気口から薬剤を異なる方向（上と下）に放散するようにした送風式薬剤放散装置が提案されている。
【０００３】
【特許文献１】特開２００１−１９７８５６号公報
【発明の開示】
【発明が解決しようとする課題】
【０００４】
前述した害虫による被害場面としては、屋内では台所、屋外では自動販売機が代表的である。
台所はその室内空間内に冷蔵庫、食器棚、調理台などが配置され、室内空間は開放状態にある開放空間として、また冷蔵庫などにより床面や壁面との間に形成された隙間等のように密閉状態に近い半密閉空間として１つの被害場面に複数の被害空間が混在している。
【０００５】
この被害空間においては、例えば開放空間では蚊、蝿などの飛翔害虫やゴキブリ、アリなどの匍匐害虫、半密閉空間ではゴキブリなどの匍匐害虫によって被害を受ける。また、ゴキブリなどの匍匐害虫は開放空間と半密閉空間で被害を与える。
【０００６】
また、飲食品などの自動販売機は、陳列商品のある自動販売機の正面や飲食品の取出口において、正面ではガ、ウンカなどの飛翔害虫が明かりに誘われて正面に群がる。また、取出口では、こぼれた飲食品の付着物に誘われてアリなどの匍匐害虫や前記の飛翔害虫が近づき侵入する被害を与える。この正面や取出口は大気に晒された開放空間からなる被害空間である。
【０００７】
また、自動販売機の底面と設置面との間、又は自動販売機の背面と構造物の壁面との間に形成された隙間には、アリ、ゴキブリなどの匍匐害虫が自動販売機内の飲食品に誘われて近づき、自動販売機の内部に侵入して被害を与える。この隙間は密閉状態に近い半密閉空間からなる被害空間である。
【０００８】
被害場面としては、前述の台所や自動販売機の他に、食堂、学校の給食調理室、ホテル等の調理室、また倉庫、工場や自動車、列車、船舶、飛行機等の運搬車、また大空間の開放空間の中に小空間の半密閉空間を有する建屋、さらに押入れ等のある居室における居室空間と押入れ空間、居室空間と屋根裏空間、居室空間と床下空間などと多い。
【０００９】
一方、被害場面で使用する薬剤処理装置としては、前述の通りいろいろな被害場面で使用できることが望ましく、持ち運びができる小型で軽量な装置、取り扱いが簡単で危険性のない装置、さらには長期間に亘って継続使用できる送風式薬剤放散装置が好ましい。
【００１０】
前述した従来の送風式薬剤放散装置は、２つの排気口から空気とともに薬剤をそれぞれ放散するので、異なる２つの方向に薬剤を放散することができるから、前述した１つの被害場面に置き、一方の排気口を開放空間である一方の被害空間に向け、他方の排気口を半密閉空間である他方の被害空間に向けることで、２つの被害空間に薬剤を放散してそれぞれ薬剤処理することが可能である。
【００１１】
しかしながら、前述した従来の送風式薬剤放散装置においては、１つの排気口から放出される空気量は送風ファンの吐出空気量の略半分であるから、１つの排気口から放散される薬剤放散量は全体の薬剤放散量の略半分で、異なる２つの方向にそれぞれ放散される薬剤の量が少なく、それぞれの被害空間を十分に薬剤処理できない。
【００１２】
しかも、一方の排気口から放散される薬剤放散量と他方の排気口から放散される薬剤放散量はほぼ同じで、一方の被害空間と他方の被害空間に放散する薬剤の量がほぼ同じであるから、各被害空間で必要とする薬剤の量が相違する場合に対応できない。
【００１３】
本発明の目的は、１つの被害場面における２つの被害空間に、各被害空間が必要とする量の薬剤をそれぞれ放散し、それによって各被害空間を十分に薬剤処理できるようにした送風式薬剤放散装置とすることである。
【課題を解決するための手段】
【００１４】
第１の発明は、異なる方向に向かう第１流通口６と第２流通口７を有した装置本体１と、薬剤保持体２と、送風ファン３と、この送風ファン３を回転するモータ４と、このモータ４を交互に正逆回転駆動し、かつ正回転駆動する時間と逆回転駆動する時間を、それぞれ任意に設定するモータ駆動制御手段５を備え、
前記モータ４を正回転駆動して送風ファン３が正回転すると第１流通口６から第２流通口７に向けて空気が流れて薬剤保持体２に空気が触れて薬剤を揮散し、その薬剤を第２流通口７から空気とともに放散し、
前記モータ４を逆回転駆動して送風ファン３が逆回転すると第２流通口７から第１流通口６に向けて空気が流れて薬剤保持体２に空気が触れて薬剤を揮散し、その薬剤を第１流通口６から空気とともに放散するようにし、
前記装置本体１に通路部材８を、第１流通口６と第２流通口７のどちらか一方と連通して設け、この通路部材８によって装置本体１と離隔した場所から空気を吸い込み、吐出できるようにしたことを特徴とする送風式薬剤放散装置である。
【００１６】
第２の発明は、第２の発明において、形状の異なる複数の通路部材８を準備し、いずれか１つの通路部材８を装置本体１に着脱自在に設けた送風式薬剤放散装置である。
【発明の効果】
【００１７】
第１の発明によれば、モータ４を正回転駆動して送風ファン３を正回転すると、第２流通口７から薬剤を放散し、モータ４を逆回転駆動して送風ファン３を逆回転すると、第１流通口６から薬剤を放散するので、１つの被害場面に設置することで第１流通口６が向かう第１被害空間と第２流通口７が向かう第２被害空間に薬剤をそれぞれ放散できる。
しかも、モータ４の正回転駆動時間と逆回転駆動時間を任意に設定できるから、第１流通口６、第２流通口７から放散する薬剤の量を第１・第２被害空間が必要とする薬剤の量に見合うように設定できる。
したがって、２つの被害空間に、各被害空間が必要とする量の薬剤をそれぞれ放散し、各被害空間を十分に薬剤処理することができる。
また、通路部材８によって装置本体１から離隔した場所に薬剤を放散できると共に、その通路部材８を狭い被害空間に挿入することが可能であるから、装置本体１と離隔し、かつ狭い第２被害空間と装置本体１の近くの広い第１被害空間とに薬剤を確実に放散できる。
【００１９】
第２の発明によれば、用途に応じた通路部材８を装置本体１に取付けて使用できる。
【発明を実施するための最良の形態】
【００２０】
本発明の送風式薬剤放散装置は、図１と図２に示すように、装置本体１と、薬剤保持体２と、送風ファン３と、モータ４と、このモータ４を交互に正逆回転駆動し、かつ正回転駆動する時間と逆回転駆動する時間を、それぞれ任意に設定するモータ駆動制御手段５を備えている。
【００２１】
前記装置本体１は第１流通口６と第２流通口７を有し、前記モータ４で送風ファン３を駆動すると第１流通口６と第２流通口７に空気が流通すると共に、薬剤保持体２に空気が触れて薬剤を揮散し、空気とともに第１又は第２流通口６，７から放散する。前記第１流通口６と第２流通口７は向きが異なる。
【００２２】
例えば、モータ４を正回転駆動して送風ファン３を正転すると、実線矢印で示すように、第１流通口６から第２流通口７に向けて空気が流れ、薬剤を空気とともに第２流通口７から放散する。
前記モータ４を逆回転駆動して送風ファン３を逆転すると、点線矢印で示すように、第２流通口７から第１流通口６に向けて空気が流れ、薬剤を空気とともに第１流通口６から放散する。
つまり、モータ４は可逆モータを用いている。
【００２３】
なおモータ４を正回転駆動して送風ファン３を正転すると、点線矢印で示すように、第２流通口７から第１流通口６に向けて空気が流れ、薬剤を空気とともに第１流通口６から放散し、前記モータ４を逆回転駆動して送風ファン３を逆転すると、実線矢印で示すように、第１流通口６から第２流通口７に向けて空気が流れ、薬剤を空気とともに第２流通口７から放散するようにしても良い。
【００２４】
このようであるから、装置本体１を１つの被害場面に、第１流通口６が第１被害空間に向かうと共に、第２流通口７が第２被害空間に向かうように設け、モータ４の正回転駆動と逆回転駆動を交互に繰り返して送風ファン３を正転、逆転を交互に繰り返すことによって、薬剤保持体２に空気が触れることで揮散した薬剤の全量を第１被害空間と第２被害空間に交互に放散できる。
【００２５】
しかも、モータ駆動制御手段５によってモータ４の正回転駆動時間と逆回転駆動時間をそれぞれ任意に設定できるので、送風ファン３の正転時間、逆転時間を、第１・第２被害空間が必要とする薬剤の量に見合うように設定できる。
【００２６】
したがって、１つの被害場面における２つの被害空間に、各被害空間が必要とする量の薬剤をそれぞれ放散することができるから、各被害空間を十分に薬剤処理できる。
【００２７】
この実施の形態においては、装置本体１に、第２流通口７と連続して流通部材８が設けてある。
この通路部材８は、狭い被害空間に挿入可能であり、かつ第２流通口７と連通した基端開口８ａと通路８ｂと先端開口８ｃを有し、その先端開口８ｃが装置本体１（第２流通口７）と離隔している。
このようであるから、通路部材８によって装置本体１から離隔した狭い被害空間に薬剤を確実に放散でき、第１流通口６から装置本体１近くの広い被害空間に薬剤を確実に放散できる。
【００２８】
次に、各部の具体形状を説明する。
前記装置本体１は、第１流通口６と第２流通口７を連通する空気流通路１ａと、薬剤保持体取付部１ｂと、電池収納室１ｃと、モータ取付室１ｄを有している。
前記空気流通路１ａには送風ファン３のみが設けてあり、その送風ファン３を正転、逆転した時に空気が空気流通路１ａにスムーズに流通するようにしてある。
前記電池収納室１ｃに電池９が設けてあり、モータ取付室１ｄにモータ４が取付けてある。
【００２９】
前記装置本体１は、上面板１０と下面板１１と周面板１２で矩形箱状体で、その内部には縦仕切板１３と横仕切板１４が設けられて内部を、前述の空気流通路１ａ、電池収納室１ｃ、モータ取付室１ｄに区画している。
そして、上面板１０に第１流通口６が形成され、かつ第１流通口６の開口縁に沿ってリング状の突起１０ａが設けられて薬剤保持体取付部１ｂとし、周面板１２に第２流通口７が形成されている。この第２流通口７の開口縁に沿って筒部７ａが一体的に設けてあり、この筒部７ａは周面板１２よりも外方に突出している。
【００３０】
前記薬剤保持体２は、殺虫、殺ダニ、成長制御、吸血行動阻止、忌避などの虫害抑止を機能とする薬剤を主成分とする有効成分を保持するものである。
この実施の形態では、薬剤保持体２を１つのブロックとし、前記リング状の突起１０ａに嵌め込んで取付けてある。
これに限ることはなく、薬剤保持体２は粒状として容器内に収容しても良いし、ハニカム体に含浸させても良いし、不織布、織物などに含浸させても良い。
【００３１】
前記送風ファン３はプロペラ型のファンとしてある。
これに限ることはなく、送風ファン３は任意の形状とすることができる。つまり、送風ファン３は正転時と逆転時とで空気の流れ（吸い込み、吐出）が反対となる形状であれば良い。
【００３２】
前記モータ駆動制御手段５は、モータ４を交互に正回転駆動、逆回転駆動するコントローラ５ａと、正回転駆動時間を設定する第１設定器５ｂと、逆回転駆動時間を設定する第２設定器５ｃを備えている。
前記第１・第２設定器５ｂ，５ｃは図１に示すように手で回転可能で、かつ回転することで駆動時間を設定してコントローラ５ａに入力する。
コントローラ５ａは、入力された正回転駆動時間だけモータ４に正回転通電し、その設定した時間が経過したら逆回転駆動時間だけモータ４に逆回転通電し、これを繰り返しする。
【００３３】
前記通路部材８は、高さ寸法が小さい、例えば装置本体１の高さ寸法（上面板１０と下面板１１との間の寸法）よりも高さ寸法が小さい中空長尺材で、装置本体１の高さよりも低い半密閉空間である狭い被害空間に通路部材８を挿入できるようにしてある。
【００３４】
このようであるから、例えば図３に示すように、装置本体１を冷蔵庫Ａの前方の床面Ｂ上に置き、その通路部材８を冷蔵庫Ａの底面と床面Ｂとの間の小さな半密閉空間である被害空間Ｃに挿入して送風式薬剤放散装置を設置する。
そして、送風ファン３を正転することで揮散した薬剤を第２流通口７、通路部材８を通して狭い被害空間Ｃに放散し、送風ファン３を逆転することで揮散した薬剤を第１流通口７から冷蔵庫Ａの前方の室内、開放空間の広い被害空間Ｄに放散する。
したがって、狭い被害空間Ｃと広い被害空間Ｄに薬剤を交互に放散して両方とも十分に薬剤処理できる。
【００３５】
前記装置本体１を壁Ｅに吊り下げ、通路部材８を壁Ｅと冷蔵庫Ａの背面との間の狭い被害空間Ｆに挿入すると共に、第１流通口６を冷蔵庫Ａの上面よりも上方に位置させるようにしても良い。
このようにすれば、狭い被害空間Ｆと広い被害空間Ｄとに薬剤を交互に放散して両方とも十分に薬剤処理できる。
【００３６】
また、装置本体１を前述の狭い被害空間Ｃ又はＦ内に挿入し、通路部材８を冷蔵庫Ａの前面又は上面から突出するように設置しても良い。
【００３７】
前記通路部材８は一直線状に限ることはなく、図４（ａ）に示すように、ほぼ鉤形状としても良い。
このようにすれば、例えば図３に仮想線で示すように装置本体１を冷蔵庫Ａの上面に置き、通路部材８の先端部分を、壁Ｅと冷蔵庫Ａの背面との間の半密閉空間である狭い被害空間Ｆに挿入することができるので、狭い被害空間Ｆと広い被害空間Ｄに薬剤を交互に放散して両方とも十分に薬剤処理できる。
【００３８】
前記装置本体１を前記狭い被害空間Ｆ内に挿入し、通路部材８を狭い被害空間Ｃ内に挿入するようにして床Ｂと壁Ｅとの隅角部Ｇ部分に設置しても良い。
このようにすれば、２つの狭い被害空間Ｃ，Ｆに薬剤を交互に放散して十分な薬剤効果が得られる。
【００３９】
前述の説明で冷蔵庫Ａとしたが、食器棚、調理台でも同様に用いることができるし、自動販売機でも使用することができる。
【００４０】
前記通路部材８は図４（ｂ）に示すように、先端寄り部分にも先端開口８ｃを有した形状としても良いし、図４（ｃ）に示すように先端開口８ｃを小さくして先端面と先端寄りに複数形成しても良く、さらには図４（ｄ）に示すように先端面を閉塞し、先端部寄りに先端開口８ｃを形成しても良い。
このようにすれば、通路部材８の先端寄り部分から薬剤を放散できる。
【００４１】
前記通路部材８は図４（ｅ）に示すように先端部分が基端部分に対して揺動変位可能としても良い。例えば、中間部分８ｄを可撓性材料とし、他の部分を硬質材料として中間部分８ｄが揺動変位するようにする。なお、全体の可撓性材料としても良い。
このようにすれば、装置本体１の位置を動かさずに、広い範囲におけるいずれか１ヶ所に薬剤を放散できる。
【００４２】
前記通路部材８は図４（ｆ）に示すように伸縮自在としても良い。例えば、第１通路部材８１に第２通路部材８２をスライド自在に嵌合する。
このようにすれば、装置本体１から遠く離れた場所でも、装置本体１から僅かに離れた場所にも薬剤を放散できるし、未使用時にはコンパクトにできる。
【００４３】
前記通路部材８は装置本体１に着脱自在に設けてある。
例えば、通路部材８の基端開口８ａ部分が筒部７ａに着脱自在に嵌合して取付けてある。
そして、前記図４（ａ）〜（ｆ）に示す通路部材８の基端開口部分も前述と同様に筒部７ａに着脱自在に嵌合して取付けできるようにしてある。
このようにすれば、複数の通路部材８を準備しておくことで、用途に応じた通路部材８を取付けて使用できる。
【００４４】
また、通路部材８は装置本体１に一体に設けても良い。
この場合には、形状の異なる通路部材８を設けた複数の装置本体１を準備し、用途に応じて使い分けるようにすることができる。
【００４５】
前記通路部材８は第１流通口６と連通して装置本体１に設けても良い。
例えば、図５と図６に示すように、通路部材８を取付部２０と通路部２１を有したものとし、その取付部２０を装置本体１に、第１流通口６と連通して取付ける。
前記通路部２１が、前述した各形状の通路部材８に相当するものである。
この実施の形態では、取付部２０は装置本体１のリング状の突起１０ａに回転自在に嵌合して取付けてあり、通路部材８は首振り自在である。
前記取付部２０は、出口２０ａと、その出口２０ａの周縁に設けた筒部２０ｂを有し、この筒部２０ｂに通路部２１が嵌合して着脱自在に取付けてあり、この通路部２１を交換可能としてある。
【００４６】
前記薬剤保持体２は第１流通口６以外の部分に設けることができる。
例えば、図７に示すように第２流通口７に設けたり、図示はしないが通路部材８内に設けても良い。
【００４７】
前記モータ４を空気流通路１ａに送風ファンとともに設けても良い。
例えば、図８に示すように装置本体１の空気流通路１ａを仕切板１５で吸込側通路１ａ−１と吐出側通路１ａ―２に区画し、仕切板１５に形成した通気孔１６で連通する。
前記仕切板１５に、送風ファン３を取付けたモータ４を、吸込側通路１ａ―１内に位置するように設ける。
また、図示は省略するが前述した各実施の形態において、モータ４を空気流通路１ａに送風ファン３とともに設けても良い。
【図面の簡単な説明】
【００４８】
【図１】本発明の第１の実施の形態を示す平面図である。
【図２】本発明の第１の実施の形態を示す縦断面図である。
【図３】使用状態の説明図である。
【図４】異なる形状の通路部材の説明図である。
【図５】本発明の第２の実施の形態を示す平面図である。
【図６】本発明の第２の実施の形態を示す縦断面図である。
【図７】本発明の第３の実施の形態を示す縦断面図である。
【図８】本発明の第４の実施の形態を示す縦断面図である。
【符号の説明】
【００４９】
１…装置本体、１ａ…空気流通路、１ｄ…モータ取付室、２…薬剤保持体、３…送風ファン、４…モータ、５…モータ駆動制御手段、５ａ…コントローラ、５ｂ…第１設定器、５ｃ…第２設定器、６…第１流通口、７…第２流通口、８…通路部材。
【図１】
0005121060.tif 000002
【図２】
0005121060.tif 000003
【図３】
0005121060.tif 000004
【図４】
0005121060.tif 000005
【図５】
0005121060.tif 000006
【図６】
0005121060.tif 000007
【図７】
0005121060.tif 000008
【図８】
0005121060.tif 000009